(57)【要約】【課題】栽培樹木近傍の土壌に局所的に溝を形成し、各溝に肥料を投入するようにした局所施肥機を提供する。【解決手段】接地走行手段７を有する車台１には駆動手段９と、溝切りディスク１１と、肥料投入手段１３とを備えさせ、該接地走行手段は、該駆動手段により回転駆動され、該溝切りディスクは、車台の側部において該車台の進行方向と直角の水平軸１５に支持させた状態で配設され、該溝切りディスクは、該駆動手段により昇降・回転して栽培樹木近傍の土壌に局所的に上下方向の略弧状溝を形成し、該肥料投入手段は、該溝切りディスクが形成した略弧状溝中に肥料を投入するようにしたことを特徴とする局所施肥機。【選択図】図１
2012187013.tif 000002
【特許請求の範囲】
【請求項１】
接地走行手段を有する車台には駆動手段と、溝切りディスクと、肥料投入手段とを備えさせ、
該接地走行手段は、該駆動手段により回転駆動され、
該溝切りディスクは、車台の側部において該車台の進行方向と直角の水平軸に支持させた状態で配設され、
該溝切りディスクは、該駆動手段により昇降・回転して栽培樹木近傍の土壌に局所的に上下方向の略弧状溝を形成し、
該肥料投入手段は、該溝切りディスクが形成した略弧状溝中に肥料を投入するようにしたことを特徴とする局所施肥機。
【請求項２】
前記溝切りディスクと前記肥料投入手段とをそれぞれ車台における左右各側部に備えさせたことを特徴とする請求項１に記載の局所施肥機。
【請求項３】
前記肥料投入手段は、前記溝切りディスクとは別系統であることを特徴とする請求項１又は２に記載の局所施肥機。
【発明の詳細な説明】
【技術分野】
【０００１】
本発明は、茶園又は果樹園において使用される局所施肥機に関するものであり、特に、栽培樹木近傍の土壌に局所的に溝を形成し、各溝に肥料を投入するようにした局所施肥機に係るものである。
【０００２】
本発明において「栽培樹木」とは、茶樹又は果樹をいうものとする。
【０００３】
また、本発明による局所施肥機には、歩行作業型の独立した局所施肥機のみならず、トラクター、乗用型茶園管理機等にそのアタッチメントとして取り付けられる局所施肥機も含まれるものとする。
【背景技術】
【０００４】
特開２００１−６１３１８号公報は中耕施肥装置を開示している。該中耕施肥装置は、果樹園等の土壌を中耕して土壌中に肥料を施用するようにしたものである。すなわち、該中耕施肥装置は、固くなった畝間の土壌を細かく砕くことにより、除草すると共に土壌の通気性、透水性等を確保するために土壌を掘削するという中耕作業を行いつつ、掘削した土壌中に肥料を施用するようにしたものである。したがって、該中耕施肥装置における掘削回転軸は連続的に回転する。
【０００５】
また、該中耕施肥装置においては、掘削した土壌中に肥料を施用するための肥料放出管は、基部が該掘削回転軸に取り付けられている。すなわち、肥料放出管は掘削部内に組み込まれており、更には該肥料放出管の先端が地中に潜るように動作する。
【先行技術文献】
【特許文献】
【０００６】
【特許文献１】特開２００１−６１３１８号公報
【発明の概要】
【発明が解決しようとする課題】
【０００７】
上記中耕施肥装置においては、掘削回転軸を連続的に回転させて中耕作業を行うようにしているため、土壌が広範囲に掘削される。したがって、栽培樹木の根が広範囲にわたって切断され、損傷されるおそれがある。
【０００８】
また、上記中耕施肥装置においては、肥料放出管は掘削部内に組み込まれており、更には該肥料放出管の先端が地中に潜るように動作するため、該肥料放出管内には土あるいは土の湿気が付着し易く、その結果、肥料の円滑な放出が妨げられ、肥料が詰まる等の肥料投入不良が生ずるおそれがある。
【０００９】
一方、茶園等においては、高品質の茶葉等を得ようとして、しばしば広範囲に又は多量の窒素肥料が施用されるため、茶等の栽培が大きな環境負荷の発生源となっている。このような環境負荷を軽減するために、施肥位置を局所に限定し、栽培樹木の吸収根を施肥位置に誘引・集中させ、効率よく養分を吸収させることが望まれる。
【００１０】
上記従来の中耕施肥装置における上述の問題を解決すると共に、施肥による上述の如き環境負荷を軽減するという要求に鑑み、本発明は、栽培樹木近傍の土壌に局所的に溝を形成し、各溝に肥料を投入するようにした局所施肥機を提供しようとしてなされたものである。
【課題を解決するための手段】
【００１１】
上記課題を解決するために、本発明は下記の局所施肥機を提供するものである。
【００１２】
（１）接地走行手段を有する車台には駆動手段と、溝切りディスクと、肥料投入手段とを備えさせ、
該接地走行手段は、該駆動手段により回転駆動され、
該溝切りディスクは、車台の側部において該車台の進行方向と直角の水平軸に支持させた状態で配設され、
該溝切りディスクは、該駆動手段により昇降・回転して栽培樹木近傍の土壌に局所的に上下方向の略弧状溝を形成し、
該肥料投入手段は、該溝切りディスクが形成した略弧状溝中に肥料を投入するようにしたことを特徴とする局所施肥機（請求項１）。
【００１３】
（２）前記溝切りディスクと前記肥料投入手段とをそれぞれ車台における左右各側部に備えさせる（請求項２）。
【００１４】
（３）前記肥料投入手段は、前記溝切りディスクとは別系統である（請求項３）。
【発明の効果】
【００１５】
［請求項１の発明］
請求項１の発明によれば、溝切りディスクは、土壌を広範囲に掘削するものではなく、駆動手段により昇降・回転して栽培樹木近傍の土壌に局所的に上下方向の略弧状溝を形成するようにしたため、栽培樹木の根が切断され、損傷されるおそれは小さい。
【００１６】
また、溝切りディスクが形成した略弧状溝中に肥料投入手段が肥料を投入するようにしたため、施肥位置は極めて限定され、栽培樹木の吸収根を当該施肥位置に誘引・集中させ、効率よく養分を吸収させることができる。したがって、肥料による環境負荷が著しく軽減される。
【００１７】
［請求項２の発明］
請求項２の発明によれば、溝切りディスクと肥料投入手段とをそれぞれ車台における左右各側部に備えさせたため、畝間の両側部における栽培樹木近傍の土壌に好ましく略弧状溝を形成し、施肥することができる。すなわち、例えば茶園においては、畝間の両側部における雨落ち部（図１２における符号Ｄ参照）に好ましく略弧状溝を形成し、施肥することができる。
【００１８】
［請求項３の発明］
請求項３の発明によれば、肥料投入手段は溝切りディスクとは別系統であり、換言すれば、肥料投入手段は溝切りディスクには組み込まれていないため、該肥料投入手段内に土あるいは土の湿気が付着することがなく、肥料の詰まり等の不都合を生ずるおそれがない。すなわち、該肥料投入手段は肥料を略弧状溝中に円滑に投入することができる。また、肥料投入手段と溝切りディスクとが別系統であるため、局所施肥機全体の構造が簡単になる。
【図面の簡単な説明】
【００１９】
【図１】図１は、本発明による局所施肥機の一例を概略的に示す側面図である。
【図２】図２は、同上正面図である。
【図３】図３は、溝切りディスクを回転させるための手段の一例を概略的に示す側面図である。
【図４】図４は、溝切りディスクを昇降させる手段の一例において、該溝切りディスクが上昇した状態を示す側面図である。
【図５】図５は、溝切りディスクを昇降させる上記手段において、該溝切りディスクが下降した状態を示す側面図である。
【図６】図６は、溝切りディスクの昇降させる手段を示す説明図である。
【図７】図７は、溝切りディスクを昇降させる手段と肥料投入手段における肥料計量ドラムとを概略的に示す側面図である。
【図８】図８は、クラッチ手段の一例を概略的に示す側面図である。
【図９】図９は、肥料投入手段を概略的に示す正面図である。
【図１０】図１０は、肥料投入手段における肥料計量ドラムの一例を示す断面図である。
【図１１】図１１は、同上の別の断面図である。
【図１２】図１２は、本発明による局所施肥機の使用状態の一例を概略的に示す正面図である。
【発明を実施するための形態】
【００２０】
符号１に示すものは、局所施肥機の車台である。符号３は車台１のハンドル、符号５は操作レバーである。
【００２１】
車台１は、接地走行手段７を有する。該接地走行手段７としては、例えば車輪、無限軌道等が用いられる。符号７’に示すものは前輪である。
【００２２】
車台１には、駆動手段９と、溝切りディスク１１と、肥料投入手段１３とを備えさせる。
【００２３】
駆動手段９としては、歩行作業型の局所施肥機の場合には、一例としてガソリンエンジン等のエンジンが用いられるが、エンジンを発生源とする油圧を用い、或いは、溝切りディスク１１の昇降用に電動シリンダを用いることもできる。一方、本発明による局所施肥機をトラクター、乗用型茶園管理機等にそのアタッチメントとして取り付ける場合には、局所施肥機の駆動手段９には、トラクター、乗用型茶園管理機等のＰＴＯ出力からの動力が含まれる。
【００２４】
接地走行手段７は、駆動手段９により回転駆動される。
【００２５】
溝切りディスク１１は、車台１の側部において該車台１の進行方向と直角の水平軸１５に支持させた状態で配設される。該溝切りディスク１１は、駆動手段９により昇降・回転して栽培樹木Ａ近傍の土壌に局所的に上下方向の略弧状溝Ｂを形成する。溝切りディスク１１は、一例として約２０ｃｍの深さの略弧状溝Ｂを形成する。
【００２６】
溝切りディスク１１は、一例として、略卍状をなす。
【００２７】
肥料投入手段１３は、溝切りディスク１１が形成した略弧状溝Ｂ中に肥料を投入する。各略弧状溝Ｂ内には、一例として肥効調節型肥料約９０ｇが埋め込まれる。
【００２８】
溝切りディスク１１と肥料投入手段１３とをそれぞれ車台における左右各側部に備えさせることが望ましい。
【００２９】
肥料投入手段１３は、溝切りディスク１１とは別系統である。換言すれば、肥料投入手段１３は、溝切りディスク１１に組み込まれたものではない。
【００３０】
以下、駆動手段９と接地走行手段７と溝切りディスク１１と肥料投入手段１３との関係の一例について説明する。
【００３１】
接地走行手段７は、駆動手段９により回転駆動される。すなわち、一例として、図３に示すように、駆動手段９はトランスミッション１６を備え、該トランスミッション１６のトランスミッション出力輪１７は巻掛け伝動手段１９と介在輪２１と巻掛け伝動手段２３とを介して接地走行手段７の駆動輪２５に連結される。
【００３２】
溝切りディスク１１は、駆動手段９により回転駆動される。すなわち、一例として、図３に示すように、溝切りディスク１１は前記水平軸１５に水平軸スプロケット２７を備え、該水平軸１５より上方に支持杆２９を延設し、該支持杆２９の上端に上端スプロケット３１を取り付け、該水平軸スプロケット２７と該上端スプロケット３１との間に伝動チェーン３３を取り付ける。一方、駆動手段９により回転する前記介在輪２１の近傍には第一伝動スプロケット３５と第二伝動スプロケット３７と第三伝動スプロケット３９とを配設し、これらの介在輪２１と第一伝動スプロケット３５と第二伝動スプロケット３７と第三伝動スプロケット３９とをそれぞれ伝動チェーン４１、４３、４５により連結し、該第三伝動スプロケット３９を前記水平軸スプロケット２７と上端スプロケット３１との間の伝動チェーン３３に咬合させる。
【００３３】
すなわち、駆動手段９により回転する前記介在輪２１の回転は、第一伝動スプロケット３５と第二伝動スプロケット３７と第三伝動スプロケット３９に順次伝えられる。該第三伝動スプロケット３９の回転は、水平軸スプロケット２７と上端スプロケット３１との間の伝動チェーン３３に伝えられ、溝切りディスク１１が回転する。
【００３４】
溝切りディスク１１は、駆動手段９により昇降する。すなわち、一例として、図４〜図６に示すように、前記溝切りディスク１１の水平軸１５より上方に延設された支持杆２９を水平方向の昇降部材４７に固定し、該昇降部材４７には水平方向の長孔４９を備えさせ、該昇降部材４７の両側部には該昇降部材４７の昇降を案内する上下方向の案内部材５１を配設する。
【００３５】
更に、図７に示すように、駆動手段９により回転する伝動輪５３の近傍には該伝動輪５３により回転する溝切りディスク昇降輪５５を配設し、該溝切りディスク昇降輪５５には該溝切りディスク昇降輪５５と共に回転するアーム５７を取り付け、該アーム５７の先端５７ａを昇降部材４７における水平方向の長孔４９に遊嵌する。すなわち、アーム５７が回転すると、該アーム５７の先端５７ａは昇降部材４７における水平方向の長孔４９内を水平方向に移動しつつ、該昇降部材４７を案内部材５１に沿って上下方向に動かす。図４〜図６参照。
【００３６】
更に、駆動手段９と肥料投入手段１３との関係の一例について説明する。
肥料投入手段１３は、車台１の上部に肥料バケット７１を配設し、該肥料バケット７１の下方には該肥料バケット７１に連通する肥料計量ドラム７３を取り付け、該肥料計量ドラム７３の下方には肥料落下筒７５を取り付けてなるものである（図９、図１２参照）。肥料計量ドラム７３は、円柱状体に切り欠き部７３ａを形成してなり、肥料バケット７１から該切り欠き部７３ａ内に落下した肥料が該肥料計量ドラム７３の回転に伴って下方に位置したときに、切り欠き部７３ａ内の肥料が肥料落下筒７５内に落下するようにしたものである。切り欠き部７３ａ内には一定量の肥料が落下するため、該切り欠き部７３ａからは一定量の肥料が肥料落下筒７５内に落下する。図９〜図１１参照。該肥料計量ドラム７３は、該切り欠き部７３ａの容積を変更することにより、該肥料落下筒７５内に落下する肥料の量を変更することが可能である。
【００３７】
肥料投入手段１３による肥料投入のタイミングについては、肥料投入手段１３は、溝切りディスク１１により形成された略弧状溝Ｂ内における最深部附近に肥料を投入するようになすことが望ましいのであるが、必ずしもこのタイミングに限定されるものではない。
【００３８】
肥料計量ドラム７３は、一例として、図７に示すように、駆動手段９により回転する前記伝動輪５３に巻掛け伝動手段７７を介して連結されており、該伝動輪５３と共に回転する。図７における符号７９に示すものは、中間輪である。
【００３９】
図８において符号８０に示すものはクラッチ手段である。クラッチ手段８０は、凹部８１ａを備えた円板８１と、該凹部８１ａに嵌脱する制御杆８３とを備えている。制御杆８３は先端に該凹部８１ａに嵌脱するコロ８３ａを備えている。制御杆８３は案内手段８５により進退自在に案内されている。制御杆８３は、連結杆８７を介して操作レバー５に連結されており、該制御杆８３は、操作レバー５を操作することにより進退する。制御杆８３のコロ８３ａが円板８１の凹部８１ａに嵌ったときには、該円板８１は回転を停止し、溝切りディスク昇降輪５５と肥料計量ドラム７３とが回転を停止する。なお、制御杆８３のコロ８３ａが円板８１の凹部８１ａから脱出したときには、溝切りディスク昇降輪５５と肥料計量ドラム７３とが回転可能となる。図７、図８参照。
【００４０】
以上、主として歩行作業型の局所施肥機について説明してきたが、本発明による局所施肥機をトラクター、乗用型茶園管理機等にそのアタッチメントとして取り付ける場合には、駆動手段として、前述の如く、トラクター、乗用型茶園管理機等のＰＴＯ出力からの動力を使用し、更には、センサー等を用いた電子制御により上記と同様の動作を行なわせることも可能である。
【符号の説明】
【００４１】
１  車台
３  ハンドル
５  操作レバー
７  接地走行手段
７’  前輪
９  駆動手段
１１  溝切りディスク
１３  肥料投入手段
１５  水平軸
１６  トランスミッション
１７  トランスミッション出力輪
１９  巻掛け伝動手段
２１  介在輪
２３  巻掛け伝動手段
２５  駆動輪
２７  水平軸スプロケット
２９  支持杆
３１  上端スプロケット
３３  伝動チェーン
３５  第一伝動スプロケット
３７  第二伝動スプロケット
３９  第三伝動スプロケット
４１  伝動チェーン
４３  伝動チェーン
４５  伝動チェーン
４７  昇降部材
４９  長孔
５１  案内部材
５３  伝動輪
５５  溝切りディスク昇降輪
５７  アーム
５７ａ  先端
７１  肥料バケット
７３  肥料計量ドラム
７３ａ  切り欠き部
７５  肥料落下筒
７７  巻掛け伝動手段
７９  中間輪
８０  クラッチ手段
８１  円板
８１ａ  凹部
８３  制御杆
８３ａ  コロ
８５  案内手段
８７  連結杆
【図１】
2012187013.tif 000003
【図２】
2012187013.tif 000004
【図３】
2012187013.tif 000005
【図４】
2012187013.tif 000006
【図５】
2012187013.tif 000007
【図６】
2012187013.tif 000008
【図７】
2012187013.tif 000009
【図８】
2012187013.tif 000010
【図９】
2012187013.tif 000011
【図１０】
2012187013.tif 000012
【図１１】
2012187013.tif 000013
【図１２】
2012187013.tif 000014